(57)【要約】【課題】  光ディスク装置に設けられる受光素子回路ならびに光ピックアップの低消費電力化及び省スペース化を実現する。【解決手段】  複数の受光素子Ｐ１〜Ｐｎは情報信号を有する光信号をそれぞれ光電変換する。複数の第１増幅回路Ｉ１〜Ｉｎは各受光素子からの電気信号をそれぞれ電流増幅する。選択手段５３は前記複数の電流増幅回路により増幅された信号のうち１つを選択的に出力する。第２増幅回路Ａ１は前記選択手段により出力された信号を電圧増幅し外部に提供する。【選択図】    図４
2007026487.tif 000002
【特許請求の範囲】
【請求項１】
情報信号を有する光信号をそれぞれ光電変換する複数の受光素子と、
各受光素子からの電気信号をそれぞれ増幅する複数の第１増幅回路と、
前記複数の第１増幅回路により増幅された信号のうち１つを選択的に出力する選択手段と、
前記選択手段により出力された信号を増幅し、外部に提供する第２増幅回路と、
を具備することを特徴とする受光素子回路。
【請求項２】
情報信号を有する光信号をそれぞれ光電変換する複数の受光素子と、
各受光素子からの電気信号をそれぞれ増幅する複数の増幅回路と、
前記複数の受光素子及び前記複数の増幅回路のうち、使用していない回路部を非能動状態に設定し、使用している回路部を能動状態に設定する能動設定手段と、
を具備することを特徴とする受光素子回路。
【請求項３】
光信号を受光し、該光信号に対応する電気信号を提供する受光素子回路において、
情報信号を有する光信号をそれぞれ光電変換する複数の受光素子と、
各受光素子からの電気信号をそれぞれ電流増幅する複数の第１増幅回路と、
前記複数の第１増幅回路により増幅された信号のうち１つを選択的に電圧増幅し、前記受光素子回路の外部へ出力する第２増幅回路と、
前記受光素子回路を使用していない時は、前記複数の受光素子と前記複数の第１増幅回路と前記第２増幅回路の全て、あるいは一部の回路を非能動状態に設定し、前記第２増幅回路の出力をハイインピーダンスに設定する状態設定手段と、
を具備することを特徴とする受光素子回路。
【請求項４】
レーザ光を光ディスクに照射して、前記レーザ光のフォーカシング及びトラッキングを行いながら、前記光ディスクに対する情報の記録又は再生を行う光ディスク装置に設けられる受光素子回路であって、
前記光ディスクからの反射光をそれぞれ光電変換する複数の受光素子と、
各受光素子からの電気信号をそれぞれ増幅する複数の第１増幅回路と、
前記複数の第１増幅回路により増幅された信号を用いて、互いに異なる方式のトラッキング信号を生成するための信号切り替え回路と、
を具備することを特徴とする受光素子回路。
【請求項５】
情報信号を有する光信号をそれぞれ光電変換する複数の受光素子と、
各受光素子からの電気信号をそれぞれ増幅する複数の増幅回路と、
前記複数の増幅回路にそれぞれ設けられ、各増幅回路のゲインを切り替える複数のゲイン切り替え回路と、
を具備することを特徴とする受光素子回路。
【請求項６】
情報信号を有する互いに異なる波長の光信号をそれぞれ光電変換する複数の受光素子と、
前記複数の受光素子のうち１つを選択する選択手段と、
前記選択手段により選択された受光素子の出力信号を増幅する増幅回路と、
を具備することを特徴とする受光素子回路。
【請求項７】
情報信号を有する光信号をそれぞれ光電変換する複数の受光素子と、
各受光素子からの電気信号をそれぞれ増幅する複数の第１増幅回路と、
各受光素子からの電気信号をそれぞれ増幅する複数の第２増幅回路と、
前記複数の第１増幅回路の出力信号と、前記複数の第２増幅回路の出力信号の一方を選択して出力する選択回路と、
を具備することを特徴とする受光素子回路。
【請求項８】
光ディスクの記録面に光を集光させる集光手段と、前記記録面を反射した光を分割する分割手段と、分割された光を受光して、複数の光検知信号を提供する受光素子回路を有する光ピックアップと、
前記光検知信号に基づいて、前記光ピックアップから出射されるレーザー光のフォーカスを制御するためのフォーカス制御信号を生成するフォーカス制御回路と、
前記光検知信号に基づいて、前記光ピックアップから出射されるレーザー光のトラッキングを制御するためのトラッキング制御信号を生成するトラッキング制御回路と、
前記光検知信号から、前記光ディスクに記録されたデータを再生するデータ再生回路とを具備する光ディスク装置であって、
前記受光素子回路は、
前記分割された光をそれぞれ受光して光電変換する複数の受光素子と、
各受光素子からの電気信号をそれぞれ増幅する複数の第１増幅回路と、
前記複数の第１増幅回路により増幅された信号のうち１つを選択的に提供する選択手段と、
前記選択手段により選択された信号を増幅し、外部に出力する第２増幅回路と、
を具備することを特徴とする光ディスク装置。
【請求項９】
光ディスクの記録面に光を集光させる集光手段と、前記記録面を反射した光を分割する分割手段と、分割された光を受光して、複数の光検知信号を提供する受光素子回路を有する光ピックアップと、
前記光検知信号に基づいて、前記光ピックアップから出射されるレーザー光のフォーカスを制御するためのフォーカス制御信号を生成するフォーカス制御回路と、
前記光検知信号に基づいて、前記光ピックアップから出射されるレーザー光のトラッキングを制御するためのトラッキング制御信号を生成するトラッキング制御回路と、
前記光検知信号から、前記光ディスクに記録されたデータを再生するデータ再生回路とを具備する光ディスク装置であって、
前記受光素子回路は、
前記分割された光をそれぞれ受光して光電変換する複数の受光素子と、
各受光素子からの電気信号をそれぞれ増幅する複数の増幅回路と、
前記複数の受光素子及び前記複数の増幅回路のうち、使用していない回路部を非能動状態に設定し、使用している回路部を能動状態に設定する能動設定手段と、
を具備することを特徴とする光ディスク装置。
【請求項１０】
光ディスクの記録面に光を集光させる集光手段と、前記記録面を反射した光を分割する分割手段と、分割された光を受光して、複数の光検知信号を提供する受光素子回路を有する光ピックアップと、
前記光検知信号に基づいて、前記光ピックアップから出射されるレーザー光のフォーカスを制御するためのフォーカス制御信号を生成するフォーカス制御回路と、
前記光検知信号に基づいて、前記光ピックアップから出射されるレーザー光のトラッキングを制御するためのトラッキング制御信号を生成するトラッキング制御回路と、
前記光検知信号から、前記光ディスクに記録されたデータを再生するデータ再生回路とを具備する光ディスク装置であって、
前記受光素子回路は、
前記分割された光をそれぞれ受光して光電変換する複数の受光素子と、
各受光素子からの電気信号をそれぞれ電流増幅する複数の第１増幅回路と、
前記複数の第１増幅回路により増幅された信号のうち１つを選択的に電圧増幅し、前記受光素子回路の外部へ出力する第２増幅回路と、
前記受光素子回路を使用していない時は、前記複数の受光素子と前記複数の第１増幅回路と前記第２増幅回路の全て、あるいは一部の回路を非能動状態に設定し、前記第２増幅回路の出力をハイインピーダンスに設定する状態設定手段と、
を具備することを特徴とする光ディスク装置。
【請求項１１】
光ディスクの記録面に光を集光させる集光手段と、前記記録面を反射した光を分割する分割手段と、分割された光を受光して、複数の光検知信号を提供する受光素子回路を有する光ピックアップと、
前記光検知信号に基づいて、前記光ピックアップから出射されるレーザー光のフォーカスを制御するためのフォーカス制御信号を生成するフォーカス制御回路と、
前記光検知信号に基づいて、前記光ピックアップから出射されるレーザー光のトラッキングを制御するためのトラッキング制御信号を生成するトラッキング制御回路と、
前記光検知信号から、前記光ディスクに記録されたデータを再生するデータ再生回路とを具備する光ディスク装置であって、
前記受光素子回路は、
前記分割された光をそれぞれ受光して光電変換する複数の受光素子と、
各受光素子からの電気信号をそれぞれ増幅する複数の第１増幅回路と、
前記複数の第１増幅回路により増幅された信号を用いて、互いに異なる方式のトラッキング信号を生成するための信号切り替え回路と、
を具備することを特徴とする光ディスク装置。
【請求項１２】
光ディスクの記録面に光を集光させる集光手段と、前記記録面を反射した光を分割する分割手段と、分割された光を受光して、複数の光検知信号を提供する受光素子回路を有する光ピックアップと、
前記光検知信号に基づいて、前記光ピックアップから出射されるレーザー光のフォーカスを制御するためのフォーカス制御信号を生成するフォーカス制御回路と、
前記光検知信号に基づいて、前記光ピックアップから出射されるレーザー光のトラッキングを制御するためのトラッキング制御信号を生成するトラッキング制御回路と、
前記光検知信号から、前記光ディスクに記録されたデータを再生するデータ再生回路とを具備する光ディスク装置であって、
前記受光素子回路は、
情報信号を有する互いに異なる波長の光信号をそれぞれ光電変換する複数の受光素子と、
前記複数の受光素子のうち１つを選択する選択手段と、
前記選択手段により選択された受光素子の出力信号を増幅する増幅回路と、
を具備することを特徴とする光ディスク装置。
【発明の詳細な説明】
【技術分野】
【０００１】
本発明は、ＤＶＤやＣＤ等の光ディスクに情報を記録あるいは光デスクに記録された情報を再生する光ディスク装置に関する。
【背景技術】
【０００２】
パソコンに内蔵されるディスクドライブあるいはＤＶＤレコーダ等の光ディスク装置により、例えば光ディスクに記録された情報を再生する場合、光ディスク半径方向に移動する光ピックアップから光ディスクの記録面に、レーザ光が照射される。記録面を反射したレーザ光は、光ピックアップ内に設けられた受光素子回路（一般に半導体集積回路）内の受光素子により受光され、光検知信号が生成される。この光検知信号に基づいて、レーザ光のフォーカシング、トラッキング、ならびに情報再生が行われる。
【０００３】
受光素子回路では、例えば４分割受光素子により、光ディスク記録面からの反射光が受光される。各受光素子は受光した反射光を光電変換し、反射光の強度に応じた電流を発生する。この電流は電流増幅器により増幅され、更に電圧増幅器により増幅され、上記光検知信号として提供される。この光検知信号は一般にフラットケーブルなどのフレキシブルなケーブルを介して、光ディスク装置に固定された信号処理部に供給される。
【０００４】
信号処理部では、光ピックアップ（受光素子回路）から供給された光検知信号に基づいて、フォーカス制御信号及びトラッキング制御信号等のサーボ信号、ならびに情報再生信号を生成する。信号処理部により生成されたサーボ信号は、上記フラットケーブルを経由して光ピックアップに供給され、レーザ光のフォーカス制御及びトラッキング制御に使用される。
【０００５】
光ピックアップに用いられるフラットケーブルは、前述したような光検知信号やサーボ信号の信号伝送ラインならびに電源ライン等、多数の芯線が必要となる。下記特許文献１では光ピックアップに用いられるフラットケーブルの芯線数を削減する技術が開示されている。
【特許文献１】特開２００４−２７３６８０  図２
【発明の開示】
【発明が解決しようとする課題】
【０００６】
近年の光ディスク装置では、ＤＶＤ−ＲＯＭ、ＤＶＤ−ＲＡＭ等様々な種類の光ディスクを再生するために、複数のトラッキング方式を採用した機種が増えている。また、ＨＤ  ＶＤＤ等の従来より更に高密度記録が可能な光ディスクに対して高速かつ正確にフォーカシング及びトラッキングを行うために、ホログラム（光回折素子）を用いてレーザー光を分割し、従来より受光素子数が多い受光部により反射光を受光する受光素子回路が一般化している。
【０００７】
このように、複数のトラッキング方式を採用したり、従来より受光素子数が多い受光部により反射光を受光する場合、受光素子回路の回路構成は複雑となり、その消費電力が増加し、信号伝送用フラットケーブルには更に多くの芯線が必要となる。また、最近ではビデオカメラやカーナビゲーションシステム等のモバイル製品にも光ディスク装置は使用され、低消費電力化及び省スペース化が強く望まれている。
【０００８】
本発明は、光ディスク装置に設けられる受光素子回路ならびに光ピックアップの低消費電力化及び省スペース化を目的としている。
【課題を解決するための手段】
【０００９】
上記課題を解決するために本発明に係る受光素子回路は、情報信号を有する光信号をそれぞれ光電変換する複数の受光素子と、各受光素子からの電気信号をそれぞれ増幅する複数の第１増幅回路と、前記複数の第１増幅回路により増幅された信号のうち１つを選択的に出力する選択手段と、前記選択手段により出力された信号を増幅し、外部に提供する第２増幅回路とを具備する。
【発明の効果】
【００１０】
光ディスク装置に設けられる受光素子回路ならびに光ピックアップの低消費電力化及び省スペース化が実現される。
【発明を実施するための最良の形態】
【００１１】
以下、図面を参照して本発明の実施の形態を詳細に説明する。
【００１２】
図１に本発明が適用される光ヘッド装置（光ピックアップ）１１を有する光ディスク装置１の一例を示す。
【００１３】
図１に示す光ディスク装置１は、光ヘッド装置１１から照射されるレーザー光を、光ディスクＤに集光することで、光ディスクＤに情報を記録、または光ディスクＤからの情報を再生する。
【００１４】
光ヘッド装置１１は、光源、例えば半導体レーザー素子、あるいは、レーザーダイオード（ＬＤ）２１を含み、ＬＤ２１からの出力されたレーザー光は、コリメートレンズ２２により、平行光化され、偏向ビームスプリッタ（以下ＰＢＳ）２３、光分割素子（以下ＨＯＥ）２４およびλ／４板２５を通り、対物レンズ２６により、光ディスクＤに集光される。
【００１５】
光ディスクＤからの反射光は、対物レンズ２６を通り、λ／４板２５およびＨＯＥ２４から、ＰＢＳ２３へと入射され、ＰＢＳ２３により反射されたレーザー光がフォーカスレンズ２７により、所定配列の受光素子が設けられた光検出領域を有する受光素子回路２８へ入射される。受光素子回路２８により、入射光は光電変換及び電流電圧変換され、光ヘッド装置１１の後段の信号処理部１２により、サーボ信号、ＨＦ信号等に演算処理される。
【００１６】
図２は、図１に示した光ヘッド装置１１に組み込まれるＨＯＥ（ホログラム光学素子）２４ならびにＨＯＥ２４により分割された光を受光する受光素子パターンの一例を示す。
【００１７】
ＨＯＥ２４により分割されたレーザー光（光ビーム）は、受光素子２８の中心部に設けられた４つの受光素子２８−ａ〜２８−ｄと、ラジアル方向（光ディスク半径方向）に距離を置いた４つの受光素子２８−ｅ〜２８−ｈに、それぞれ結像される。
【００１８】
すなわち、回折パターン２４−１により回折されたレーザー光（回折光）は、受光素子２８−ｈに、同２４−２により回折されたレーザー光は、受光素子２８−ｇに、同２４−３により回折されたレーザー光は、受光素子２８−ｆに、同２４−４により回折されたレーザー光は、受光素子２８−ｅに、それぞれ、結像される。
【００１９】
また、回折パターン２４−５により回折されたレーザー光は、受光素子２８−ａに、同２４−６により回折されたレーザー光は、受光素子２８−ｂに、同２４−７により回折されたレーザー光は、受光素子２８−ｃに、同２４−８により回折されたレーザー光は、受光素子２８−ｄに、それぞれ、結像される。
【００２０】
ＨＯＥ２４の全領域２４−１〜２４−８によりそれぞれ回折された回折光は、位相差検出（ＤＰＤ：Ｄｉｆｆｅｒｅｎｔｉａｌ  Ｐｈａｓｅ  Ｄｅｔｅｃｔｉｏｎ）方式に従うＤＰＤ方式トラッキングエラー信号の検出に利用される。領域２４−１〜２４−４により回折される回折光は、プッシュプル（ＰＰ：Ｐｕｓｈ  Ｐｕｌｌ）方式に従うＰＰ方式トラッキングエラー信号の生成に利用される。
【００２１】
図３は、図１に示した光ヘッド装置１１に組み込まれるＨＯＥ２４ならびにＨＯＥ２４により分割された光を受光する受光素子パターンの他の例を示す。
【００２２】
すなわち、図３に示すＨＥＯ５２は、光ディスクのラジアル方向（半径方向）に対して一直線に確保された領域５２−５，５２−６を用いてフォーカスエラー信号を得るものである。領域５２−１〜５２−４は、トラッキングエラー信号を得るための領域であり、これらの領域を透過したレーザー光は、それぞれ異なる角度に回折される。
【００２３】
それぞれの領域５２−１〜５２−４は、それぞれを通過したレーザー光を、受光素子５３−２〜５３−５に結像可能に形成されている。なお、領域５２−１を通過した光は、受光素子５３−２に、同５２−２を通過した光は、同５３−５に、同５２−３を通過した光は、同５３−４に、同５２−４を通過した光は、同５３−３に、それぞれ結像される。
【００２４】
（第１実施例）
以下の説明において、電流増幅回路は、電流増幅器及び電流電圧変換増幅回路を含む。
【００２５】
図４は本発明による第１実施例による受光素子回路１０１を示す図である。ディスクＤからの反射光が複数の受光素子Ｐ１〜Ｐｎに入射され電流に変換される。その電流を電流増幅回路Ｉ１〜Ｉｎにより電流増幅及び電圧に変換し、出力増幅回路Ａ１で電圧増幅され出力される。
【００２６】
電流増幅回路Ｉ１〜Ｉｎの出力信号は切り替え回路５３に接続され、切り替え回路５３により１つ出力信号が選択され、出力増幅回路Ａ１を介して外部に出力される。
【００２７】
出力増幅回路Ａ１に対して、どの受光素子及び電流増幅回路の組み合わせからの出力信号を選択するかは、切り替え回路５３に制御端子から供給される制御信号によって決定する。
【００２８】
本実施例では、受光素子と出力増幅回路の数の関係を１：１にするのではなく、複数の受光素子のうち１つを、切り替え回路５３により出力増幅回路に接続する、もしくは、複数の受光素子に対して、複数の受光素子よりも少ない数の出力増幅回路を設けることで、受光素子回路の消費電力化、省スペース化、小型化、簡素化、ＩＣ端子数の削減が可能となる。
【００２９】
またその派生的結果として、ピックアップ回路の簡素化につながり、受光素子回路を含むピックアップ回路側からの出力信号線数（端子数）が削減される。また、低消費電力化により、光ヘッド装置ならびに光ディスク装置の電源寿命が延びることにもなる。
【００３０】
（第２実施例）
図５は、ＤＰＤ方式トラッキング信号（ＰＰ信号）生成のための出力信号と、ＰＰ方式トラッキング信号（ＤＰＤ信号）生成のための出力信号を切り替えるための切り替え回路５４を備えた本発明の第２実施例に係る受光素子回路１０２を示す図。
【００３１】
例えば、受光素子Ｐ１に入射される光信号はＰＰ信号生成のために必要な光信号であり、受光素子Ｐ２に入射される光信号はＰＰ信号生成のために必要な光信号である。受光素子Ｐ１，Ｐ２に入射される光信号は各々電流に変換され、各々の電流は電流増幅回路Ｉ１、Ｉ２により電圧に変換される。切り替え回路５４は、ＰＰ信号生成のための必要な電圧信号と、ＤＰＤ信号生成のために必要な電圧信号のどちらか一方の電圧信号を選択し、選択された信号は出力増幅回路Ａ１から出力される。
【００３２】
トラッキング方式のＰＰ出力とＤＰＤ方式の切り替えの具体的な例を図６に示す。
【００３３】
図６の受光素子Ｐａ、Ｐｂ、Ｐｃ、Ｐｄ、Ｐｅ、Ｐｆ、Ｐｇ、Ｐｈ、電流増幅回路Ｉ１〜Ｉ８、出力増幅回路Ａ１〜Ａ６は、各々図５における受光素子Ｐ１、Ｐ２部、電流増幅回路Ｉ１、Ｉ２部、出力増幅回路Ａ１に対応している。また、図６のＰａ、Ｐｂ、Ｐｃ、Ｐｄ、Ｐｅ、Ｐｆ、Ｐｇ、Ｐｈは、図２での受光領域において、２８−ｆ、２８−ｇ、２８−ｈ、２８−ｅ、２８−ａ、２８−ｄ、２８−ｃ、２８−ｂにそれぞれ対応する受光素子である。
【００３４】
図３の受光素子２８において、トラッキング信号のＰＰ出力は図６の回路において、受光素子Ｐａ〜Ｐｈの出力値をそれぞれＰａ〜Ｐｈとすると、
ＰＰ＝（Ｐａ  ＋  Ｐｄ）−（Ｐｂ＋  Ｐｃ）
により得られる。
【００３５】
また、ＤＰＤ出力は図６の回路において、
ＤＰＤ＝ｐｈａ（Ｐａ  ＋  Ｐｅ  ＋  Ｐｃ＋  Ｐｇ）−ｐｈａ（Ｐｂ＋  Ｐｆ  ＋  Ｐｄ＋  Ｐｈ）
により得られる。ここでｐｈａは各出力値の位相をとることを示す。
【００３６】
このように、ＰＰ出力とＤＰＤ出力では一般に演算式が異なるため、図６の切り替え回路５５で、出力増幅回路Ａ１〜Ａ４に入力する信号の切り替えを行う。
【００３７】
ＰＰ出力の場合、図６において、出力端子Ｐａ／Ｐａ＋Ｐｅに出力信号Ｐａが出力されるように、スイッチが制御端子からの信号により電流増幅回路Ｉ１の出力側に切り替わる。同様に出力端子Ｐｂ／Ｐｂ＋Ｐｆ、出力端子Ｐｃ／Ｐｃ＋Ｐｇ、出力端子Ｐｄ／Ｐｄ＋Ｐｈの出力信号がそれぞれＰｂ、Ｐｃ、Ｐｄとなるように、スイッチが制御端子からの信号により電流増幅回路Ｉ２〜Ｉ４の出力側に同時に切り替わる。
【００３８】
ＤＰＤ出力の場合、図６において、出力端子Ｐａ／Ｐａ＋Ｐｅに出力信号Ｐａ＋Ｐｅが出力されるように、電流増幅回路Ｉ１と電流増幅回路Ｉ５の出力信号を加算する加算回路Ｓ１の出力側に、スイッチが制御端子からの信号により切り替わる。同様に出力端子Ｐｂ／Ｐｂ＋Ｐｆ、出力端子Ｐｃ／Ｐｃ＋Ｐｇ、出力端子Ｐｄ／Ｐｄ＋Ｐｈの出力信号が、それぞれＰｂ＋Ｐｆ、Ｐｃ＋Ｐｇ、Ｐｄ＋Ｐｈとなるように、電流増幅回路Ｉ２〜Ｉ４と電流増幅回路Ｉ６〜Ｉ８との出力信号をそれぞれ加算する加算回路Ｓ２〜Ｓ４の出力側にスイッチが制御端子からの信号により同時に切り替わる。
【００３９】
ＰＰ出力とＤＰＤ出力の切り替えが行えることにより、それぞれの出力信号分の端子数を設けなくて良いことになる。結果、省スペース化、小型化、簡素化、配線数を減らすことが可能となり、その派生的結果として光ヘッド装置としての回路が簡素化されることになる。
【００４０】
（第３実施例）
図７は、回路の能動状態、非能動状態を選択するための能動選択回路を備えた本発明の第３実施例に係る受光素子回路１０３の構成を示す図である。
【００４１】
受光素子Ｐ１に入射される光の信号のみが情報として必要であって、それ以外の受光素子Ｐ２〜Ｐｎに入射される光信号を必要としない場合、外部からの制御信号により能動選択回路５６を制御し、受光素子Ｐ１及び電流増幅回路Ｉ１を能動状態として、受光素子Ｐ２〜Ｐｎ及び電流増幅回路Ｉ２〜Ｉｎを非能動状態とする。
【００４２】
図７は、受光素子Ｐ１に入射される光の信号のみが情報として必要な場合の例であるが、その他の受光素子Ｐ２〜Ｐｎ内に入射される光信号が必要な場合には、使用する回路部を能動状態とし、光信号を必要としない回路部を非能動状態とする。
【００４３】
図８に電流増幅回路を能動状態、非能動状態とする具体例を示す。図８は図７の電流増幅回路Ｉ１〜Ｉｎのうち１つの電流増幅回路の内部入力部のみを示したものであり、電流増幅回路Ｉ１〜Ｉｎの入力段内部はすべて同じ構成をとる。
【００４４】
トランジスタＴｒ１、Ｔｒ２で電流増幅回路の非反転入力と反転入力の差動増幅部を形成している（簡単のため、図７では一方の入力端子のみが示されている）。また、トランジスタＴｒ３、Ｔｒ４によりカレントミラーを形成し、Ｔｒ１及びＴｒ２を含む差動増幅部の定電流源となっている。トランジスタＴｒ５のベースが能動／非能動選択端子入力であり、能動選択回路５６に接続されている。能動／非能動選択端子入力にＯＮ電圧を加え、Ｔｒ５をＯＮすることにより、Ｔｒ３がＯＦＦ状態となる。これによりＴｒ４のコレクタ、エミッタ間に電流が流れなくなり、Ｔｒ１、Ｔｒ２もＯＦＦとなるので、結果として電流増幅回路が非能動状態となる。
【００４５】
逆に能動状態の場合には、能動／非能動選択端子電位をＧＮＤとすることで、Ｔｒ５がＯＦＦとなる。それによりＴｒ３がＯＮ状態となり、ＶＣＣから抵抗を通して電流が流れる。これによりＴｒ４にＴｒ３のコレクタ、エミッタ間に流れる電流と同等の電流が流れるため、Ｔｒ１、Ｔｒ２がＯＮ状態となり、結果として電流増幅回路が能動状態となる。
【００４６】
以上のように能動選択回路から制御信号が各々の電流増幅回路Ｉ１〜Ｉｎの能動／非能動入力端子に入力されることにより、どの電流増幅回路を能動状態、または非能動状態とするか決定される。
【００４７】
この第３実施例によれば、能動選択回路５６の制御により、使用しない受光素子及び電流増幅回路を非能動状態とすることで、図４のような切り替え回路が不要となり、回路の簡素化、受光素子回路の端子数削減、部品点数削減、及びそれによる消費電力の低減を図ることが出来、更に受光素子回路自体の余分な発熱を抑えることが可能となる。また、その派生的結果として、ピックアップ回路全体の発熱量が軽減され、光ヘッド装置としての動作安定度が増すことになる。
【００４８】
（第４実施例）
図９は電流増幅回路Ｉ１〜Ｉｎのゲイン切り替えが可能な本発明の第４実施例に係る受光素子回路１０４の構成を示す図である。受光素子回路の第４実施例を示す。受光素子Ｐ１〜Ｐｎに入射される光信号の大きさに応じて、制御端子からの制御信号により、電流増幅回路Ｉ１〜Ｉｎのゲインをゲイン切替部５７により切り替えることが可能である。
【００４９】
このように、ゲイン切り替え機能を設けることにより、受光素子に入射される光信号の大きさに対応したゲインを設定することが可能となる。その派生的結果として、受光素子回路の出力の飽和防止や必要とする電圧レベルの取得が可能となる。
【００５０】
（第５実施例）
図１０は、本発明の第５実施例に係る受光素子回路１０５の構成を示す図である。受光素子回路１０５は、情報信号を有する互いに異なる波長の光信号をそれぞれ光電変換する複数の受光素子Ｐ１１〜Ｐ１ｎ、Ｐ２１〜Ｐ２ｎ、Ｐ３１〜Ｐ３ｎを、制御端子からの制御信号により切り替え回路５８を制御して切り替える。受光素子Ｐ１１〜Ｐ１ｎと受光素子Ｐ２１〜Ｐ２ｎと受光素子Ｐ３１〜Ｐ３ｎは、それぞれ異なる波長に対応した受光素子グループである。
【００５１】
例えば、ＨＤ  ＤＶＤに対応した受光素子グループをＰ１１〜Ｐ１ｎ、ＤＶＤに対応した受光素子グループをＰ２１〜Ｐ２ｎ、ＣＤに対応した受光素子グループＰ３１〜Ｐ３ｎとする。受光素子Ｐ１１、Ｐ２１、Ｐ３１は制御端子を持つ切り替え回路５８を通して、電流増幅回路Ｉ１に接続される。その他の受光素子も同様に電流増幅回路に接続される。
【００５２】
図１の光ディスク装置で電源投入時、あるいはリスタート時に、信号処理回路１２の制御により、ＨＤ  ＤＶＤ、もしくはＤＶＤのＬＤ２１を発光させ、ディスクＤのリードインエリアをアクセスした際に、ロードされた光ディスクがＨＤ  ＤＶＤであったときには、制御端子からの制御信号により、全ての切り替え回路をＨＤ  ＤＶＤ用の受光素子グループＩ１１〜Ｉ１ｎ側に切替える。また、ロードされた光ディスクがＤＶＤであったときにはＤＶＤ用の受光素子グループＩ２１〜Ｉ２ｎに、ＣＤであったときにはＣＤ用の受光素子グループＩ３１〜Ｉ３ｎに切替える。
【００５３】
このように第５実施例によれば、波長に対応した受光素子及び電流増幅回路を各々選択できるため、電流増幅回路を共用できる。
【００５４】
（第６実施例）
図１１は、電流増幅回路Ｉ１〜Ｉｎの切り替えと、電流増幅回路のゲイン切り替えを同時に行う本発明の第６実施例に係る受光素子回路１０６の構成を示す図である。制御端子に入力された制御信号は、制御回路６１により、ゲイン切り替え回路５９と出力切り替え回路６０の両方に制御信号を送る。これにより、ある特定のゲイン設定にて、増幅回路出力を選択することが可能となる。
【００５５】
このように、各増幅回路のゲインを所望の値に変更することができ、更に、複数の増幅回路で出力増幅回路Ａ１を共用できる。従って、省スペース化、小型化、簡素化、配線数を減らすことが可能となり、その派生的結果として光ヘッド装置として回路が簡素化されることになる。
【００５６】
（第７実施例）
図５、６の切り替え回路において、ディスク上の信号検出方式が異なり、さらに検出方式の演算式が異なる場合において、第７実施例では、ドライブ（光ディスク装置）の電源投入時の検出方式のデフォルト設定を、ある所定の方式になるように設定をする。
【００５７】
例えば、ＰＰ方式とＤＰＤ方式のように、互いに異なるトラッキング方式に対応でき、図６のような切替回路を具備する光ディスク装置において、ドライブ（光ディスク装置）の電源投入時、もしくは光ヘッド装置の電源を再度入れ直した場合等、ドライブに再度電源が投入される場合に、受光素子の出力信号がＤＰＤ方式出力信号となるように、切替回路を設定しておく。また、光ヘッド装置もしくは光ディスク装置のリスタートの際にも受光素子回路の出力をＤＰＤ出力に設定する。
【００５８】
ドライブにロードされている光ディスクの種類によらず、ドライブを起動する際、システムの電源が落ちて再度ドライブを立ち上げる際、もしくはリスタート時には、必ず初めにシステムリードインエリアを読み込むため、その時に必要となるＤＰＤトラッキング方式をデフォルトの方式として切替回路を設定する。
【００５９】
このように、光ディスク装置の電源投入時に、受光素子回路のトラッキング出力を予めＤＰＤ出力に設定しておくことで、受光素子回路のトラッキング出力切り替え時間が短縮され、光ディスク装置の立ち上げ時間の短縮が図れる。
【００６０】
（第８実施例）
図１２は、本発明の第８実施例に係る受光素子回路１０７の構成を示す図である。受光素子回路１０７は、図１１の回路に、複数の受光素子Ｐ１〜Ｐｎあるいは複数の電流増幅回路Ｉ１〜Ｉｎ、あるいはその両方の能動状態／非能動状態を選択する能動選択回路６４を付加した回路であって、能動選択回路の制御、出力増幅回路Ａ１への入力信号切り替え回路６３の制御、電流増幅回路Ｉ１〜Ｉｎのゲイン設定制御を１つ又は１系統の制御端子を用いて行う。制御回路６５は、制御端子に入力される制御信号をゲイン切り替えと出力切り替えと能動選択回路に分け、対応する回路に送る。
【００６１】
例えば、受光素子Ｐ１及び電流増幅回路Ｉ１をＤＰＤ方式側の回路要素とし、受光素子Ｐ２〜Ｐｎ及び電流増幅回路Ｉ２〜ＩｎをＰＰ方式側の回路要素とする。電源投入時などのトラッキング信号方式をＤＰＤ信号方式として決定している場合などにおいて、使用しない他方のトラッキング方式であるＰＰ方式側の受光素子Ｐ２〜Ｐｎ及び電流増幅回路Ｉ２〜Ｉｎを非能動状態とし、ＤＰＤ方式側の受光素子Ｐ１及び電流増幅回路Ｉ１を能動状態とする。
【００６２】
また、ＰＰ方式側回路要素を使用する場合には、ＰＰ方式で使用される受光素子Ｐ２〜Ｐｎ及び電流増幅回路Ｉ２〜Ｉｎを能動状態とし、ＤＰＤ方式側回路要素で使用する受光素子Ｐ１及び電流増幅回路Ｉ１を非能動状態とする。
【００６３】
能動選択回路６４の制御、出力増幅回路Ａ１への入力信号切り替え回路６３の制御、電流増幅回路Ｉ１〜Ｉｎのゲイン設定制御を１つ又は１系統の制御端子を用いて行うことで、省スペース化、小型化、簡素化、配線数の削減が可能となる。その結果として、ピックアップ回路の入力端子数を減らすことが可能となり、回路として簡素化が図れる。
【００６４】
（第９実施例）
図１３は、本発明の第９実施例に係る受光素子回路１０８の構成を示す図である。受光素子回路１０８は、図１２の回路に、光が入射された時、受光素子Ｐ１〜Ｐｎに流れる電流を検知する電流検知回路ＣＤ１〜ＣＤｎを付加し、電流検知回路からの出力信号線Ｃ１〜Ｃｎを能動選択回路に接続した受光素子回路である。受光素子Ｐ１〜Ｐｎ及び電流増幅回路Ｉ１〜Ｉｎの非能動状態／能動状態を外部から制御するのではなく、受光素子に入射される光を検知して自動的に複数の受光素子Ｐ１〜Ｐｎ及び電流増幅回路Ｉ１〜Ｉｎの能動／非能動状態を設定する。
【００６５】
例えば、受光素子Ｐ１に光が照射され、電流検知回路ＣＤ１より電流検知信号が能動選択回路に入力されたなら、その受光素子から後段の電流増幅回路Ｉ１及び出力増幅回路Ａ１を能動状態とする。その他、光が照射されていない受光素子及びその増幅回路は能動選択回路により非能動状態と設定される。
【００６６】
電流検知回路ＣＤ１〜ＣＤｎを用いて光の照射の有無を監視し、光が照射されている受光素子及びその電流増幅回路だけを能動状態とし、その他の回路要素を非能動状態とすることで、消費電力の低減を図り、発熱を抑えることが可能となる。この派生的結果として、ピックアップ回路全体の発熱量が軽減され、光ディスク装置としての動作安定度が増すことになる。また、消費電力を抑えることにより、光ディスク装置としてバッテリーの使用時間を長くすることができる。
【００６７】
また、電流検知回路ＣＤ１〜ＣＤｎが受光素子回路内部にあり、複数の受光素子、電流増幅回路の能動／非能動状態を自動で判別することから、能動選択回路を制御するための端子が必要なくなり、端子数の削減に繋がる。その結果、ピックアップ回路は簡素化されることになる。
【００６８】
（第１０実施例）
図１３において、電源投入時のディフォルト状態として、電流増幅回路Ｉ１〜Ｉｎ、及び出力増幅回路Ａ１を非能動状態とする。その後、受光素子に光信号が入射されたことを電流検知回路が検知して、初めてその受光素子から後段の電流増幅回路、及び出力増幅回路を能動状態とし、光信号の入力がない受光素子に関しては非能動状態のままとする。
【００６９】
電流検知回路ＣＤ１〜ＣＤｎを用いて光照射の有無を監視し、電源投入時から光が照射されるまでを非能動状態とすることで、消費電力の低減を図り、発熱を抑えることが可能となる。この派生的結果として、ピックアップ回路全体の発熱量が軽減されることになり、光ディスク装置としての動作安定度が増すことになる。
【００７０】
また、消費電力を抑えることにより、光ディスク装置としてバッテリーの使用時間を長くすることができる。
【００７１】
また、電流検知回路ＣＤ１〜ＣＤｎが受光素子回路内部にあり、複数の受光素子、電流増幅回路の能動／非能動状態を自動で決定することから、能動選択回路を制御する端子が必要なくなり、総端子数の削減に繋がる。その結果、ピックアップ回路は簡素化されることになる。
【００７２】
（第１１実施例）
図１２において、制御端子からの制御信号により、複数の受光素子Ｐ１〜Ｐｎと複数の電流増幅回路Ｉ１〜Ｉｎのうち、１つまたは複数の受光素子と電流増幅回路の組み合わせが、切り替え回路６３により選択された場合、選択された受光素子と電流増幅回路の組み合わせを能動選択回路６３により能動状態にし、選択されていない受光素子と電流増幅回路を非能動状態とし、非能動状態の電流増幅回路の出力をハイインピーダンスとする。
【００７３】
図１４に電流増幅回路出力もしくは、出力増幅回路出力をハイインピーダンスとする内部回路を示す。電流増幅回路入力部の能動／非能動選択に関しては実施例３の図８で説明しているので省略する。
【００７４】
図１４において、受光素子回路出力に接続されているトランジスタＴｒ７、Ｔｒ８により、電流増幅回路出力もしくは、出力増幅回路出力の出力段を形成している。Ｔｒ８のベースは能動／非能動選択端子に接続されている。能動／非能動選択端子入力にＯＮ電圧を加え、Ｔｒ５をＯＮすることにより、Ｔｒ５側に電流が流れるため、Ｔｒ８のベースはＧＮＤとなり、Ｔｒ８はＯＦＦ状態となる。また、ハイインピーダンスＯＮ／ＯＦＦ端子はＴｒ６のベースに接続される。ハイインピーダンスＯＮ／ＯＦＦ端子にＯＮ電圧を加えると、Ｔｒ６はＯＮ状態となるため、Ｔｒ６のコレクタ電圧はＧＮＤに近い状態になり、Ｔｒ７がＯＦＦ状態となる。これにより、Ｔｒ７とＴｒ８がＯＦＦ状態になるため、受光素子回路出力は何も接続されていないハイインピーダンス状態となる。
【００７５】
以上のように能動選択回路７２から制御信号が各々の電流増幅回路Ｉ１〜Ｉｎの能動／非能動入力端子に入力されることにより、非能動状態において電流増幅回路、もしくは出力電圧回路の出力をハイインピーダンス状態とすることが可能となる。
【００７６】
図１４では能動／非能動選択端子とハイインピーダンスＯＮ／ＯＦＦ端子が別々に設定されているが、非能動状態のときに出力がハイインピーダンスになるように設定すると同一の入力端子としても良い。
【００７７】
（第１２実施例）
図１５は本発明の第１２実施例に係る受光素子回路１０９の構成を示す図である。受光素子回路の出力と他の受光素子回路の出力とを接続して使用する場合、互いに出力状態が能動状態であると、出力が互いにぶつかるため正常な出力にならない。そこで、図１５に示すように、出力増幅回路Ａ１の出力をハイインピーダンスとする。
【００７８】
例えば、制御端子からの制御信号により、切り替え回路７１において全ての電流増幅回路Ｉ１〜Ｉｎの出力が選択されておらず、さらに能動選択回路７２により、出力増幅回路Ａ１が非能動状態となった場合、出力増幅回路Ａ１の出力をハイインピーダンスとする。出力増幅回路Ａ１の出力をハイインピーダンスとする内部回路は図１４と同様である。
【００７９】
図１６に互いに異なる受光素子回路１１０、１１１の出力を接続した場合の例を示す。
【００８０】
図１６においては使用しない受光素子回路１１１側の出力を受光素子回路１１１の制御端子からの制御入力信号によりハイインピーダンスとし、使用する受光素子回路１１０側の出力増幅回路Ａ１を能動状態としている。これにより、受光素子回路１１０側の出力が有効になり、共有している出力配線上には受光素子回路１１０からの出力のみが伝送されることになる。
【００８１】
上記第１１実施例のように、切り替え回路により選択されていない受光素子及び電流増幅回路を非能動状態となるように能動選択回路を動作させ、受光素子回路内で非能動状態の電流増幅回路の出力をハイインピーダンスとすることにより、受光素子の出力電流を増幅する電流増幅回路Ｉ１〜Ｉｎの出力を、切り替え回路なしで選択することが出来る。従って、回路の簡素化、受光素子回路の端子数削減、部品点数削減、それによる消費電力の低減を図ることが出来、受光素子回路自体の余分な発熱を抑えることが可能となる。また、その派生的結果として、ピックアップ回路全体の発熱量が軽減されることに繋がり、光ヘッド装置ならびに光ディスク装置としての動作安定度が増すことになる。
【００８２】
また、上記第１２実施例のように、受光素子回路の出力がハイインピーダンスになることから、複数の受光素子回路１１０、１１１の出力同士を接続し、１つの受光素子回路の出力を、切り替え回路を用いずに選択することができる。従って、受光素子回路の簡素化が図れ、その派生的結果として、発熱を抑えることが可能となり、上記同様にして、ピックアップ回路全体の発熱量が軽減され、光ディスク装置としての動作安定度が増すことになる。
【００８３】
（第１３実施例）
図１７は本発明の第１３実施例に係る受光素子回路１１２の構成を示す図である。第１３実施例は、ＣＤ／ＤＶＤ／ＨＤ  ＤＶＤに対応可能な３波長の光源を持つ光ヘッド装置に本発明を適用した例である。図１７において、複数の受光素子の内、例えば、ＨＤ  ＤＶＤ用の受光素子グループをＰ１１〜Ｐ１ｎ、ＤＶＤ用の受光素子グループをＰ２１〜Ｐ２ｎ、ＣＤ用の受光素子グループをＰ３１〜Ｐ３ｎとする。さらに、ＨＤ  ＤＶＤ用の受光素子グループＰ１１〜Ｐ１ｎと接続される電流増幅回路を各々Ｉ１１〜Ｉ１ｎ、ＤＶＤ用の受光素子グループＰ２１〜Ｐ２ｎと接続される電流増幅回路を各々Ｉ２１〜Ｉ２ｎ、ＣＤ用の受光素子グループＰ３１〜Ｐ３ｎと接続される電流増幅回路を各々Ｉ３１〜Ｉ３ｎとする。Ｉ１１、Ｉ２１、Ｉ３１は制御端子を持つ切り替え回路８を通して、出力増幅回路Ａ１に接続される。その他の電流増幅回路も同様に出力増幅回路に接続される。
【００８４】
図１での光ヘッド装置１１で、電源投入時に、信号処理回路１２の制御により、ＨＤ  ＤＶＤ、ＤＶＤ、あるいはＣＤのＬＤ２１を発光させ、ディスクＤのリードインエリアをアクセスした際に、ロードされた光ディスクがＨＤ  ＤＶＤであったときには、制御端子からの制御信号により、切り替え回路をＨＤ  ＤＶＤ用の受光素子グループＰ１１〜Ｐ１ｎと電流増幅回路グループＩ１１〜Ｉ１ｎが出力されるように選択する。また、ロードされた光ディスクがＤＶＤであったときにはＤＶＤ用の受光素子グループＰ２１〜Ｐ２ｎと電流増幅回路グループＩ２１〜Ｉ２ｎを、ＣＤであったときにはＣＤ用の受光素子グループＰ３１〜Ｐ３ｎと電流増幅回路グループＩ３１〜Ｉ３ｎを選択する。
【００８５】
このように、受光素子Ｐ１１〜Ｐ１ｎ、Ｐ２１〜Ｐ２ｎ、Ｐ３１〜Ｐ３ｎと、電流増幅回路Ｉ１１〜Ｉ１ｎ、Ｉ２１〜Ｉ２ｎ、Ｉ３１〜Ｉ３ｎにおいて、各々の波長に対応した３個の受光素子を切り替え回路８１を通して１個の出力増幅回路に接続することで、出力増幅回路の数が削減される。従って、受光素子回路内部の部品点数が削減され、受光素子回路の省スペース化、小型化、受光素子回路の出力端子削減が可能となり、回路設計がシンプルになる。また、部品点数の削減から消費電力化が可能となる。
【００８６】
そのため、発熱量を抑えることが出来、ピックアップ回路全体としての発熱量が軽減されることに繋がり、光ヘッド装置としての動作安定度が増すことになる。また、消費電力を抑えることにより、光ヘッド装置としてバッテリーの使用時間が長くすることができ、ドライブとして使用時間を長くすることが可能となる。
【００８７】
図１７の例では、各波長用の受光素子Ｐ１〜Ｐ１ｎ、Ｐ２〜Ｐ２ｎ、Ｐ３〜Ｐ３ｎ）が共通の電流増幅回路に接続されることから、各ＰＤ感度のみの違いにより、受光素子回路として各波長でのゲインが設定される。
【００８８】
（第１４実施例）
図１７の回路に能動選択回路８３が付加された回路を第１４実施例として図１８に示す。
【００８９】
受光素子回路１１３は、能動状態／非能動状態を設定する回路部が受光素子部分だけでなく、その後段の電流増幅回路も能動状態、非能動状態に設定できる。ロードされた光ディスクがＨＤ  ＤＶＤであったときには、制御端子からの制御信号により、切り替え回路８２をＨＤ  ＤＶＤ用の受光素子グループＰ１１〜Ｐ１ｎ及び電流増幅回路Ｉ１１〜Ｉ１ｎに切替える。この時、制御信号は能動選択回路８３にも入力され、Ｐ１１〜Ｐ１ｎ及びＩ１１〜Ｉ１ｎを能動状態とし、選択されていないＤＶＤ用及びＣＤ用の受光素子グループ及び電流増幅回路を非能動状態とする。
【００９０】
同様にロードされた光ディスクがＤＶＤであれば、ＤＶＤ用受光素子グループＰ２１〜Ｐ２ｎ及び電流増幅回路Ｉ２１〜Ｉ２ｎが能動状態となり、その他の受光素子グループ及び電流増幅回路は非能動状態になる。さらにロードされた光ディスクがＣＤであれば、ＣＤ用の受光素子グループＰ３１〜Ｐ３ｎ、及び電流増幅回路Ｉ３１〜Ｉ３ｎが能動状態となり、その他の受光素子グループ及び電流増幅回路は非能動状態に設定される。
【００９１】
この第１４実施例も、ＣＤ／ＤＶＤ／ＨＤ  ＤＶＤに対応可能な３波長の光源を持つ光ヘッド装置に適用した例であり、ロードされた光ディスクに対応する受光素子以外の受光素子及びその増幅回路を非能動状態とすることで、消費電力の低減を図る。そのため、発熱量を抑えることが出来、光ヘッド装置全体としての発熱量が軽減され、光ヘッド装置としての動作安定度が増加する。また、光ヘッド装置の消費電力を抑えることにより、光ディスク装置としてバッテリーの使用時間を長くすることができる。
【００９２】
（第１５実施例）
図１９は、電流増幅回路Ｉ１〜Ｉｎのゲインを、ＨＤ  ＤＶＤ用を基準として３段階に切り替え可能とした受光素子回路を第１５実施例として示す。受光素子回路１１４は、ロードされた光ディスクがＨＤ  ＤＶＤであったときには、制御端子からの制御信号により、電流増幅回路Ｉ１〜ＩｎをＨＤ  ＤＶＤ用のゲインに設定する。同様に、ＤＶＤならＤＶＤ用のゲイン、ＣＤならＣＤ用のゲインに設定する。
【００９３】
（第１６実施例）
出力増幅回路Ａ１〜Ａｎのゲインを、ＨＤ  ＤＶＤ用を基準として３段階に切り替え可能とした受光素子回路を第１６実施例として図２０に示す。受光素子回路１１５は、ロードされた光ディスクがＨＤ  ＤＶＤであったときには、制御端子からの制御信号により、出力増幅回路Ａ１〜ＡｎをＨＤ  ＤＶＤ用のゲインに設定する。同様に、ＤＶＤならＤＶＤ用のゲイン、ＣＤならＣＤ用のゲインに設定する。
【００９４】
第１５及び第１６実施例は、ＣＤ／ＤＶＤ／ＨＤ  ＤＶＤに対応可能な３波長の光源を持つ光ヘッド装置に本発明を適用した例である。電流増幅回路のゲインを可変にすることで、各波長に対する受光素子の光電変換効率を補償する。そのため、１セットの受光素子グループのみを配置するだけで十分となり、設計の簡略化が可能となる。
【００９５】
（第１７実施例）
第１４及び第１５実施例（図１８、図１９参照）では電流増幅回路Ｉ１〜Ｉｎのゲイン、あるいは出力増幅回路Ａ１〜Ａｎのゲインのどちらか一方を切り替え、受光素子回路のゲイン値を設定していたが、電流増幅回路Ｉ１〜Ｉｎのゲインと出力増幅回路Ａ１〜Ａｎのゲイン両方を切り替えることにより、受光素子回路のゲイン値を決定してもよい。
【００９６】
この第１７実施例は、第１５及び第１６実施例を組み合わせた例であり、ＣＤ／ＤＶＤ／ＨＤ  ＤＶＤに対応可能な３波長の光源を持つ光ディスク装置に適用した例である。ゲイン設定範囲を広く取ることが可能であり、電流増幅回路及び出力増幅回路のゲインを可変にすることで、各波長に対する受光素子の光電変換効率を補償する。そのため、１セットの受光素子グループのみを配置するだけで十分となり、設計の簡略化が可能となる。
【００９７】
（第１８実施例）
第１６実施例（図１９、図２０参照）で、電流増幅回路Ｉ１〜Ｉｎのゲイン、あるいは出力増幅回路Ａ１〜Ａｎのゲインを切り替え可能な受光素子回路において、受光素子回路としての最大ゲイン値をＨＤ  ＤＶＤ最大ゲイン値に設定し、他のＨＤ  ＤＶＤディスクに対して比例的にゲインを設定していく。また、ＤＶＤゲインはＨＤ  ＤＶＤの最大ゲイン値に基づいて、青ＰＤ感度及び赤ＰＤ感度の比から比例的に決定する。
【００９８】
光ディスクでは、ＣＤ、ＤＶＤ、ＨＤ  ＤＶＤのそれぞれについて、読出し専用ディスク、書き換え可能なディスク、追記可能なディスク等様々な特性を有するものがあり、それぞれ読み出し用レーザーパワーが異なり、更に記録可能なディスクの場合は、書き込み用レーザーパワーがそれぞれ異なる。従って、様々な種類の光ディスクに対して情報の記録再生を行うには、受光素子回路の信号ゲインも様々な値に設定する必要がある。
【００９９】
例えば、ＨＤ  ＤＶＤ最大ゲインを３０ｍＶ／μＷでゲイン比１２８と設定し、ＨＤ  ＤＶＤのその他、以下のゲイン値を比例的に定める。
【０１００】
ＨＤ  ＤＶＤ用ゲイン比１、２、４，８、１６、３２、６４、１２８の８通りのゲイン比に定めると、ＨＤ  ＤＶＤゲイン値は、
ゲイン比（１、２、４，８、１６、３２、６４、１２８）に対して、
ゲイン値（３０［ｍＶ／μＷ］／１２８、３０［ｍＶ／μＷ］／６４、３０［ｍＶ／μＷ］／３２、３０［ｍＶ／μＷ］／１６、３０［ｍＶ／μＷ］／８、３０［ｍＶ／μＷ］／４、３０［ｍＶ／μＷ］／２、３０［ｍＶ／μＷ］／１）と決定する。
【０１０１】
また、青ゲイン比１２８を基準として、青ＰＤ感度、赤ＰＤ感度比からＤＶＤでの最大ゲイン比を６４に定め、ＤＶＤでのゲイン比を０．５、１、２、４、８、１６、３２、６４と決定する。
【０１０２】
ＤＶＤでの具体的なゲイン値としては、青ゲイン値の最大値３０ｍＶ／μＷ、青ＰＤ感度と赤ＰＤ感度比で決定する。例えば、青ＰＤ感度０．３Ａ／Ｗ、赤ＰＤ感度は０．４５ｍＡ／μＷとすると、ＤＶＤ最大ゲイン値は、
０．４５／０．３＊３０ｍＶ／μＷ＊６４／１２８＝２２．５ｍＶ／μＷ
として、ＤＶＤゲイン比６４でのゲイン値を決定する。
【０１０３】
以下ＤＶＤゲイン比６４でのゲイン値２２．５ｍＶ／μＷから、ゲイン比０．５〜３２までのゲイン値を決定する。
【０１０４】
この第１８実施例は、ＣＤ／ＤＶＤ／ＨＤ  ＤＶＤに対応可能な３波長の光源を持つ光ディスク装置に適用した例である。例えばＨＤ  ＤＶＤ用受光素子ゲインを設定することにより、青ＰＤ感度と赤ＰＤ感度比により、ＤＶＤ用受光素子回路ゲインが決定され、受光素子ゲインと電流増幅回路ゲイン設定により、任意のゲイン設定が可能となる。
【０１０５】
例えば、ＨＤ  ＤＶＤとＤＶＤでのディスクへの記録時の対物レンズ出射パワーを考えた場合、現状ＤＶＤでの記録速度の方が速く、記録パワーが大きい。そのため、ディスクを反射し受光素子に入射される光パワーもＤＶＤの方が大きくなる。青ＰＤ感度と赤ＰＤ感度を比べた場合にも赤ＰＤ感度の方が大きい。従って、各波長のＰＤ感度比のみでゲイン設定を行うと、受光素子回路出力のダイナミックレンジが決まっているため、ＨＤ  ＤＶＤ記録時に出力がダイナミックレンジに収まる範囲にゲインを設定したとしても、ＤＶＤ記録では受光素子回路出力が飽和する恐れがある。
【０１０６】
ここでは、青ＰＤ感度と赤ＰＤ感度比、受光素子ゲイン、電流増幅回路ゲインから、ＨＤ  ＤＶＤ用ゲインに比べ、ＤＶＤ用ゲインを低めに設定しＤＶＤ記録時に出力飽和しないようにゲイン設定を行う。
【０１０７】
（第１９実施例）
第１６実施例（図１９、図２０参照）において、受光素子回路としてのゲイン値は電流増幅回路Ｉ１〜Ｉｎのゲイン、あるいは出力増幅回路Ａ１〜Ａｎのゲインにより決定されるが、電流増幅回路Ｉ１〜Ｉｎのゲインと出力増幅回路Ａ１〜Ａｎのゲインを一定のゲイン比で定め、受光素子回路のゲイン値を設定する。
【０１０８】
例えば、電流増幅回路Ｉ１〜Ｉｎのゲイン比を０．５〜８に固定し、出力増幅回路Ａ１〜Ａｎのゲイン比を１〜２に固定する。受光素子回路としてのゲインは前段の電流増幅回路Ｉ１〜Ｉｎのゲイン比とそれに接続される出力増幅回路Ａ１〜Ａｎのゲイン比により、組み合わせゲインとして決定される。
【０１０９】
以上の説明はこの発明の実施の形態であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【図面の簡単な説明】
【０１１０】
【図１】本発明が適用される光ヘッド装置を有する光ディスク装置の一例を示す図である。
【図２】図１に示した光ヘッド装置に組み込まれるＨＯＥならびにＨＯＥにより分割された光を受光する受光素子パターンの一例を示す図である。
【図３】図１に示した光ヘッド装置に組み込まれるＨＯＥならびにＨＯＥにより分割された光を受光する受光素子パターンの他の例を示す図である。
【図４】本発明による受光素子回路を示す図である。
【図５】ＤＰＤ方式トラッキング信号生成のための出力信号と、ＰＰ方式トラッキング信号生成のための出力信号を切り替えるための切り替え回路を備えた受光素子回路を示す図である。
【図６】トラッキング方式のＰＰ出力とＤＰＤ方式の切り替えの具体的な例を示す図である。
【図７】回路の能動状態、非能動状態を選択するための能動選択回路を備えた受光素子回路を示す図である。
【図８】電流増幅回路を能動状態、非能動状態とする具体例を示す図である。
【図９】電流増幅回路Ｉ１〜Ｉｎのゲイン切り替えが可能な受光素子回路を示す図である。
【図１０】複数の受光素子Ｐ１１〜Ｐ１ｎ、Ｐ２１〜Ｐ２ｎ、Ｐ３１〜Ｐ３ｎを、制御端子からの制御信号により切り替え回路を制御して、切り替える回路を示す図である。
【図１１】電流増幅回路Ｉ１〜Ｉｎの切り替えと、電流増幅回路のゲイン切り替えを同時に行う受光素子回路を示す図である。
【図１２】図１１の回路に、能動選択回路６４を付加した受光素子回路を示す図である。
【図１３】図１２の回路に、電流検知回路ＣＤ１〜ＣＤｎを付加した受光素子回路を示す図である。
【図１４】電流増幅回路出力もしくは出力増幅回路出力をハイインピーダンスとする内部回路を示す図である。
【図１５】出力増幅回路Ａ１の出力をハイインピーダンスとしたときの状態を示す図である。
【図１６】互いに異なる受光素子回路の出力を接続した場合の例を示す図である。
【図１７】ＣＤ／ＤＶＤ／ＨＤ  ＤＶＤに対応可能な３波長の光源を持つ光ヘッド装置に適用される受光素子回路の構成を示す図である。
【図１８】図１７の回路に能動選択回路が付加された回路を示す図である。
【図１９】電流増幅回路Ｉ１〜Ｉｎのゲインを、ＨＤ  ＤＶＤ用を基準として３段階に切り替え可能とした回路を示す図である。
【図２０】出力増幅回路Ａ１〜Ａｎのゲインを、ＨＤ  ＤＶＤ用を基準として３段階に切り替え可能とした回路を示す図である。
【符号の説明】
【０１１１】
１…光ディスク装置、１１…光ヘッド装置（光ピックアップ）、１２…信号処理部、２１…レーザーダイオード（ＬＤ）、２２…コリメートレンズ、２３…偏向ビームスプリッタ、２４…光分割素子（ＨＯＥ）、２５…λ／４板、２６…対物レンズ、２８…受光素子、Ｄ…光ディスク
【図１】
2007026487.tif 000003
【図２】
2007026487.tif 000004
【図３】
2007026487.tif 000005
【図４】
2007026487.tif 000006
【図５】
2007026487.tif 000007
【図６】
2007026487.tif 000008
【図７】
2007026487.tif 000009
【図８】
2007026487.tif 000010
【図９】
2007026487.tif 000011
【図１０】
2007026487.tif 000012
【図１１】
2007026487.tif 000013
【図１２】
2007026487.tif 000014
【図１３】
2007026487.tif 000015
【図１４】
2007026487.tif 000016
【図１５】
2007026487.tif 000017
【図１６】
2007026487.tif 000018
【図１７】
2007026487.tif 000019
【図１８】
2007026487.tif 000020
【図１９】
2007026487.tif 000021
【図２０】
2007026487.tif 000022